(57)【要約】【課題】  標準及び非標準ＤＳＮデータ・アクセスに関する。【解決手段】  方法は、分散ストレージ・ネットワーク（ＤＳＮ）のコンピューティング・デバイスにより、ＤＳＮからのデータにアクセスするために、非標準ＤＳＮデータ・アクセス・プロトコルを使用するか又は標準ＤＳＮデータ・アクセス・プロトコルを使用するかを決定することを含む。コンピューティング・デバイスが、非標準ＤＳＮデータ・アクセス・プロトコルを使用すると決定するとき、方法は、非標準ＤＳＮデータ・アクセス要求のセットを生成することをさらに含む。方法は、非標準ＤＳＮデータ・アクセス要求のセットをストレージ・ユニットに送ることをさらに含む。方法は、ストレージ・ユニットにより、非標準ＤＳＮデータ・アクセス要求を１つ又は複数のＤＳＮスライス名に変換することをさらに含む。方法は、ストレージ・ユニットにより、１つ又は複数のＤＳＮスライス名がスライス名範囲内にあることを判断することをさらに含む。１つ又は複数のＤＳＮスライス名がスライス名範囲内にあるとき、方法は、ストレージ・ユニットにより、データ・アクセス機能を実行することをさらに含む。【選択図】      図１
2019536125.tif 000002
【特許請求の範囲】
【請求項１】
分散ストレージ・ネットワーク（ＤＳＮ）のコンピューティング・デバイスにより、前記ＤＳＮからのデータにアクセスするために、非標準ＤＳＮデータ・アクセス・プロトコルを使用するか又は標準ＤＳＮデータ・アクセス・プロトコルを使用するかを決定することであって、前記データは１つ又は複数の符号化データ・スライスのセットに分散ストレージ・エラー符号化され、前記１つ又は複数の符号化データ・スライスのセットは前記ＤＳＮのストレージ・ユニットのセット内に格納される、決定することと、
前記コンピューティング・デバイスが、前記非標準ＤＳＮデータ・アクセス・プロトコルを使用すると決定することに応じて、
前記コンピューティング・デバイスにより、前記データに関する非標準ＤＳＮデータ・アクセス要求のセットを生成することであって、前記非標準ＤＳＮデータ・アクセス要求のセットのうちの非標準ＤＳＮデータ・アクセス要求は、前記ストレージ・ユニットのセットのうちのストレージ・ユニットのネットワーク識別子、前記データに対応するデータ識別子、及びデータ・アクセス機能を含む、生成することと、
前記コンピューティング・デバイスにより、前記非標準ＤＳＮデータ・アクセス要求のセットを、前記ストレージ・ユニットを含む前記ストレージ・ユニットのセットのうちの少なくとも幾つかのストレージ・ユニットに送ることと、
前記ストレージ・ユニットにより、前記非標準ＤＳＮデータ・アクセス要求を１つ又は複数のＤＳＮスライス名に変換することと、
前記ストレージ・ユニットにより、前記１つ又は複数のＤＳＮスライス名が、前記ストレージ・ユニットに割り当てられたスライス名範囲内にあることを判断することと、
前記１つ又は複数のＤＳＮスライス名がスライス名範囲内にあることに応じて、前記ストレージ・ユニットにより、前記１つ又は複数のＤＳＮスライス名に対応する１つ又は複数の符号化データ・スライスに関する前記データ・アクセス機能を実行することと、
を含む、方法。
【請求項２】
前記コンピューティング・デバイスが、前記標準ＤＳＮデータ・アクセス・プロトコルを使用すると決定することに応じて、
前記コンピューティング・デバイスにより、前記データに関するデータ・アクセス要求のセットを生成することであって、前記データ・アクセス要求のセットのうちのデータ・アクセス要求は、１つ又は複数のＤＳＮスライス名及び前記データ・アクセス機能を含み、前記１つ又は複数のＤＳＮスライス名は、前記ストレージ・ユニットに対して１つ又は複数のＤＳＮアドレスを提供する、生成することと、
前記コンピューティング・デバイスにより、前記データ・アクセス要求のセットを前記ストレージ・ユニットのセットに送ることと、
前記ストレージ・ユニットのセットのうちの少なくとも幾つかのストレージ・ユニットにより、前記データ・アクセス機能を実行することと、
を含む、請求項１に記載の方法。
【請求項３】
前記非標準ＤＳＮデータ・アクセス・プロトコルを使用するか又は前記標準ＤＳＮデータ・アクセス・プロトコルを使用するかを決定することは、
前記データが複数の関連したデータ・オブジェクトを含むことに応じて、前記非標準ＤＳＮデータ・アクセス・プロトコルを使用すると決定することと、
前記データが異なる改訂レベルのデータ・オブジェクトを含むことに応じて、前記非標準ＤＳＮデータ・アクセス・プロトコルを使用すると決定することと、
前記データが特定の符号化データ・スライスのセットを含むことに応じて、前記標準ＤＳＮデータ・アクセス・プロトコルを使用すると決定することと、
前記データ・アクセス機能に基づいて前記非標準ＤＳＮデータ・アクセス・プロトコル又は前記標準ＤＳＮデータ・アクセス・プロトコルを使用すると決定することと、
のうちの１つ又は複数を含む、請求項１に記載の方法。
【請求項４】
前記ネットワーク識別子が、前記ストレージ・ユニットにおいて、ｕｎｉｆｏｒｍ  ｒｅｃｏｒｄ  ｌｏｃａｔｏｒ（ＵＲＬ）、ネットワーク・ポート、ネットワーク・インターフェース、アプリケーション・プログラム・インターフェース（ＡＰＩ）、信頼証明書、認証オーソリティ、及び資格証明のうちの１つ又は複数を含むことと、
前記データ識別子が、ファイル名、前記ＵＲＬに埋め込まれた名称、１つ又は複数のデータ・オブジェクト名、１つ又は複数のデータ・セグメント名、前記データについての名称、前記データの集合についての名称のうちの１つ又は複数を含むことと、
前記データ・アクセス機能が、読み出し要求、書き込み要求、削除要求、及びリスト要求のうちの１つ又は複数を含むことと、
をさらに含む、請求項１に記載の方法。
【請求項５】
前記非標準ＤＳＮデータ・アクセス要求のセットを前記ストレージ・ユニットのセットのうちの少なくとも幾つかのストレージ・ユニットに送ることは、
前記少なくとも幾つかのストレージ・ユニットの各々について、
前記信頼証明書、前記認証オーソリティ、及び前記資格証明のうちの１つ又は複数を検証することと、
前記信頼証明書、前記認証オーソリティ、及び前記資格証明のうちの前記１つ又は複数が検証されたことに応じて、前記ＵＲＬ、前記ネットワーク・ポート、前記ネットワーク・インターフェース、及び前記ＡＰＩの１つを介して、前記ストレージ・ユニットをアドレス指定するように決定し、決定されたアクセス機構を生成することと、
前記決定されたアクセス機構を介して、前記非標準ＤＳＮデータ・アクセス要求のセットを少なくとも幾つかのストレージ・ユニットに送ることと、
を含む、請求項４に記載の方法。
【請求項６】
特定のＤＳＮ機能を最適化するように前記データ識別子を生成することであって、前記特定のＤＳＮ機能は、関連した符号化データ・スライスを特定すること、関連した符号化データ・スライスをリストすること、及び符号化データ・スライスに関する変換された名称のリストすることのうちの１つ又は複数を含む、生成することをさらに含む、請求項１に記載の方法。
【請求項７】
前記非標準ＤＳＮデータ・アクセス要求を１つ又は複数のＤＳＮスライス名に変換することは、
データ・アクセス要求を発行する要求中のデバイスの識別に基づいてボールト識別子を判断することと、
前記ボールト識別子及び前記ネットワーク識別子に基づいてピラー数を判断することと、
前記データ識別子に基づいてセグメント識別子の範囲を判断することと、
前記データ識別子に基づいてオブジェクト識別子を判断することと、
前記ピラー数、前記ボールト識別子、前記セグメント識別子の範囲、及び前記オブジェクト識別子に基づいて、前記１つ又は複数のＤＳＮスライス名を生成することと、
を含む、請求項１に記載の方法。
【請求項８】
分散ストレージ・ネットワーク（ＤＳＮ）のコンピューティング・デバイスにより実行されることに応じて、前記コンピューティング・デバイスに、
前記ＤＳＮからのデータにアクセスするために、非標準ＤＳＮデータ・アクセス・プロトコルを使用するか又は標準ＤＳＮデータ・アクセス・プロトコルを使用するかを決定することであって、前記データは１つ又は複数の符号化データ・スライスのセットに分散ストレージ・エラー符号化され、前記１つ又は複数の符号化データ・スライスのセットは前記ＤＳＮのストレージ・ユニットのセット内に格納される、決定することと、
前記コンピューティング・デバイスが、前記非標準ＤＳＮデータ・アクセス・プロトコルを使用すると決定することに応じて、
前記データに関する非標準ＤＳＮデータ・アクセス要求のセットを生成することであって、前記非標準ＤＳＮデータ・アクセス要求のセットのうちの非標準ＤＳＮデータ・アクセス要求は、前記ストレージ・ユニットのセットのうちのストレージ・ユニットのネットワーク識別子、前記データに対応するデータ識別子、及びデータ・アクセス機能を含む、生成することと、
前記非標準ＤＳＮデータ・アクセス要求のセットを、前記ストレージ・ユニットを含む前記ストレージ・ユニットのセットのうちの少なくとも幾つかのストレージ・ユニットに送ることと、
を行わせる動作命令を格納する第１のメモリ要素と、
前記ストレージ・ユニットのセットのうちの１つのストレージ・ユニットにより実行されることに応じて、前記ストレージ・ユニットに、
前記非標準ＤＳＮデータ・アクセス要求を１つ又は複数のＤＳＮスライス名に変換することと、
前記１つ又は複数のＤＳＮスライス名が、前記ストレージ・ユニットに割り当てられたスライス名範囲内にあることを判断することと、
前記１つ又は複数のＤＳＮスライス名がスライス名範囲内にあることに応じて、前記ストレージ・ユニットにより、前記１つ又は複数のＤＳＮスライス名に対応する１つ又は複数の符号化データ・スライスに関する前記データ・アクセス機能を実行することと、
を行わせる動作命令を格納する第２のメモリ要素と、
を含む、コンピュータ可読メモリ。
【請求項９】
前記コンピューティング・デバイスにより実行されることに応じて、前記コンピューティング・デバイスに、
前記データに関するデータ・アクセス要求のセットを生成することであって、前記データ・アクセス要求のセットのうちのデータ・アクセス要求は、１つ又は複数のＤＳＮスライス名及び前記データ・アクセス機能を含み、前記１つ又は複数のＤＳＮスライス名は、前記ストレージ・ユニットに対して１つ又は複数のＤＳＮアドレスを提供する、生成することと、
前記データ・アクセス要求のセットを前記ストレージ・ユニットのセットに送ることと、
を行わせる動作命令を格納する第３のメモリ要素と、
前記ストレージ・ユニットにより実行されることに応じて、前記ストレージ・ユニットに、
前記データ・アクセス要求のセットの前記１つの前記データ・アクセス機能を実行すること、
を行わせる動作命令を格納する第４のメモリ要素と、
をさらに含む、請求項８に記載のコンピュータ可読メモリ。
【請求項１０】
前記第１のメモリ要素は、
前記コンピューティング・デバイスにより実行されることに応じて、前記コンピューティング・デバイスに、
前記データが複数の関連したデータ・オブジェクトを含むことに応じて、前記非標準ＤＳＮデータ・アクセス・プロトコルを使用すると決定することと、
前記データが異なる改訂レベルのデータ・オブジェクトを含むことに応じて、前記非標準ＤＳＮデータ・アクセス・プロトコルを使用すると決定することと、
前記データが特定の符号化データ・スライスのセットを含むことに応じて、前記標準ＤＳＮデータ・アクセス・プロトコルを使用すると決定することと、
前記データ・アクセス機能に基づいて前記非標準ＤＳＮデータ・アクセス・プロトコル又は前記標準ＤＳＮデータ・アクセス・プロトコルを使用すると決定することと、
のうちの１つ又は複数により、前記非標準ＤＳＮデータ・アクセス・プロトコルを使用するか又は標準ＤＳＮデータ・アクセス・プロトコルを使用するかを決定させる動作命令をさらに格納する、請求項８に記載のコンピュータ可読メモリ。
【請求項１１】
前記ネットワーク識別子が、前記ストレージ・ユニットにおいて、ｕｎｉｆｏｒｍ  ｒｅｃｏｒｄ  ｌｏｃａｔｏｒ（ＵＲＬ）、ネットワーク・ポート、ネットワーク・インターフェース、アプリケーション・プログラム・インターフェース（ＡＰＩ）、信頼証明書、認証オーソリティ、及び資格証明のうちの１つ又は複数を含むことと、
前記データ識別子が、ファイル名、前記ＵＲＬに埋め込まれた名称、１つ又は複数のデータ・オブジェクト名、１つ又は複数のデータ・セグメント名、前記データについての名称、前記データの集合についての名称のうちの１つ又は複数を含むことと、
前記データ・アクセス機能が、読み出し要求、書き込み要求、削除要求、及びリスト要求のうちの１つ又は複数を含むことと、
をさらに含む、請求項８に記載のコンピュータ可読メモリ。
【請求項１２】
前記第１のメモリ要素は、前記コンピューティング・デバイスにより実行されることに応じて、前記コンピューティング・デバイスに、
前記少なくとも幾つかのストレージ・ユニットの各々について、
前記信頼証明書、前記認証オーソリティ、及び前記資格証明のうちの１つ又は複数を検証することと、
前記信頼証明書、前記認証オーソリティ、及び前記資格証明のうちの前記１つ又は複数が検証されたことに応じて、前記ＵＲＬ、前記ネットワーク・ポート、前記ネットワーク・インターフェース、及び前記ＡＰＩの１つを介して、前記ストレージ・ユニットをアドレス指定するように決定し、決定されたアクセス機構を生成することと、
前記決定されたアクセス機構を介して、前記非標準ＤＳＮデータ・アクセス要求のセットを少なくとも幾つかのストレージ・ユニットに送ることと、
によって、前記非標準ＤＳＮデータ・アクセス要求のセットを前記ストレージ・ユニットのセットのうちの少なくとも幾つかのストレージ・ユニットに送らせる動作命令をさらに格納する、請求項１１に記載のコンピュータ可読メモリ。
【請求項１３】
前記コンピューティング・デバイスにより実行されることに応じて、前記コンピューティング・デバイスに、
特定のＤＳＮ機能を最適化するように前記データ識別子を生成することであって、前記特定のＤＳＮ機能は、関連した符号化データ・スライスを特定すること、関連した符号化データ・スライスをリストすること、及び符号化データ・スライスに関する変換された名称のリストすることのうちの１つ又は複数を含む、生成すること
を行わせる動作命令を格納する第３のメモリ要素をさらに含む、請求項８に記載のコンピュータ可読メモリ。
【請求項１４】
前記第２のメモリ要素は、前記ストレージ・ユニットにより実行されることに応じて、前記ストレージ・ユニットに、
データ・アクセス要求を発行する要求中のデバイスの識別に基づいてボールト識別子を判断することと、
前記ボールト識別子及び前記ネットワーク識別子に基づいてピラー数を判断することと、
前記データ識別子に基づいてセグメント識別子の範囲を判断することと、
前記データ識別子に基づいてオブジェクト識別子を判断することと、
前記ピラー数、前記ボールト識別子、前記セグメント識別子の範囲、及び前記オブジェクト識別子に基づいて、前記１つ又は複数のＤＳＮスライス名を生成することと、
によって、前記非標準ＤＳＮデータ・アクセス要求を１つ又は複数のＤＳＮスライス名に変換させる動作命令を更に格納する、請求項８に記載のコンピュータ可読メモリ。
【発明の詳細な説明】
【技術分野】
【０００１】
本発明は、一般に、コンピュータ・ネットワークに関し、より特定的には、データの分散エラー符号化（dispersing error encoded data）に関する。
【背景技術】
【０００２】
コンピューティング・デバイスは、データの通信、データの処理、及び／又はデータの格納を行うことが知られている。そのようなコンピューティング・デバイスは、無線スマートフォン、ラップトップ、タブレット、パーソナル・コンピュータ（ＰＣ）、ワーク・ステーション、及びビデオ・ゲーム・デバイスから、毎日何百万ものウェブ検索、株式取引、又はオンライン購入をサポートするデータ・センタにまで及ぶ。一般に、コンピューティング・デバイスは、中央処理ユニット（ＣＰＵ）、メモリ・システム、ユーザ入力／出力インターフェース、周辺機器インターフェース、及び相互接続バス構造を含む。
【０００３】
さらに知られているように、コンピュータは、「クラウド・コンピューティング」を用して、コンピュータの代わりに１つ又は複数のコンピューティング機能（例えば、サービス、アプリケーション、アルゴリズム、演算論理関数等）を実行することによって、そのＣＰＵを事実上拡張することができる。さらに、大規模なサービス、アプリケーション、及び／又は機能については、クラウド・コンピューティングを複数のクラウド・コンピューティング・リソースによりディストリビュート方式で行って、サービス、アプリケーション、及び／又は関数の完了のための応答時間を改善することができる。例えば、Ｈａｄｏｏｐは、数千のコンピュータによるアプリケーション実行を可能にするディストリビューテッド・アプリケーションをサポートするオープンソース・ソフトウェア・フレームワークである。
【０００４】
クラウド・コンピューティングに加えて、コンピュータは、そのメモリ・システムの一部として「クラウド・ストレージ」を用いることができる。知られているように、クラウド・ストレージは、ユーザがそのコンピュータを介して、ファイル、アプリケーションなどをインターネット・ストレージ・システム上に格納することを可能にする。インターネット・ストレージ・システムは、エラー訂正スキームを用いて格納のためにデータを符号化するＲＡＩＤ（redundant array of independent disks、独立ディスク冗長アレイ）システム及び／又は分散ストレージ・システムを含むことができる。
【発明の概要】
【発明が解決しようとする課題】
【０００５】
クラウド・ストレージ・システムにおいては、データにアクセスする（例えば、読み出す、書き込む、削除する等）ための従来のプロトコルがある。例えば、読み出し要求は、所望のデータの１又は複数の部分を格納する分散又はディストリビューテッド・ストレージ・ネットワーク（ＤＳＮ）の各ストレージ・ユニットへの個々の読み出し要求を含む。呼び出すべき付加的なデータが望まれる場合、別の読み出し要求を生成し、ストレージ・ユニットに送る必要がある。このことは、データ及び付加的なデータが関連している場合でも行われる。
【課題を解決するための手段】
【０００６】
非標準ＤＳＮデータ・アクセスに関する。本発明は、分散ストレージ・ネットワーク（ＤＳＮ）のコンピューティング・デバイスにより、前記ＤＳＮからのデータにアクセスするために、非標準ＤＳＮデータ・アクセス・プロトコルを使用するか又は標準ＤＳＮデータ・アクセス・プロトコルを使用するかを決定することであって、前記データは１つ又は複数の符号化データ・スライスのセットに分散ストレージ・エラー符号化され、前記１つ又は複数の符号化データ・スライスのセットは前記ＤＳＮのストレージ・ユニットのセット内に格納される、決定することと、前記コンピューティング・デバイスが、前記非標準ＤＳＮデータ・アクセス・プロトコルを使用すると決定することに応じて、前記コンピューティング・デバイスにより、前記データに関する非標準ＤＳＮデータ・アクセス要求のセットを生成することであって、前記非標準ＤＳＮデータ・アクセス要求のセットのうちの非標準ＤＳＮデータ・アクセス要求は、前記ストレージ・ユニットのセットのうちのストレージ・ユニットのネットワーク識別子、前記データに対応するデータ識別子、及びデータ・アクセス機能を含む、生成することと、前記コンピューティング・デバイスにより、前記非標準ＤＳＮデータ・アクセス要求のセットを、前記ストレージ・ユニットを含む前記ストレージ・ユニットのセットのうちの少なくとも幾つかのストレージ・ユニットに送ることと、前記ストレージ・ユニットにより、前記非標準ＤＳＮデータ・アクセス要求を１つ又は複数のＤＳＮスライス名に変換することと、前記ストレージ・ユニットにより、前記１つ又は複数のＤＳＮスライス名が、前記ストレージ・ユニットに割り当てられたスライス名範囲内にあることを判断することと、前記１つ又は複数のＤＳＮスライス名がスライス名範囲内にあることに応じて、前記ストレージ・ユニットにより、前記１つ又は複数のＤＳＮスライス名に対応する１つ又は複数の符号化データ・スライスに関する前記データ・アクセス機能を実行することを含む。
【０００７】
ここで、本発明の好ましい実施形態を、単なる例として以下の図面を参照して説明する。
【図面の簡単な説明】
【０００８】
【図１】本発明による、分散（dispersed）又はディストリビューテッド（distributed）ストレージ・ネットワーク（ＤＳＮ）の実施形態の模式的なブロック図である。
【図２】本発明による、コンピューティング・コアの実施形態の模式的なブロック図である。
【図３】本発明による、データの分散ストレージ・エラー符号化の例の模式的なブロック図である。
【図４】本発明による、エラー符号化関数の一般的な例の模式的なブロック図である。
【図５】本発明による、エラー符号化関数の特定の例の模式的なブロック図である。
【図６】本発明による、符号化データ・スライス（ＥＤＳ）のスライス名の例の模式的なブロック図である。
【図７】本発明による、データの分散ストレージ・エラー復号の例の模式的なブロック図である。
【図８】本発明による、エラー復号関数の一般的な例の模式的なブロック図である。
【図９】本発明による、複数のストレージ・ユニットのプールの実施形態の模式的なブロック図である。
【図１０】本発明による、ＤＳＮの別の実施形態の模式的なブロック図である。
【図１１】本発明による、標準（standard）符号化データ・スライス命名の例の図である。
【図１２】本発明による、非標準（non-standard）データ命名の例の図である。
【図１３】本発明による、非標準データ命名の別の図である。
【図１４】本発明による、ＤＳＮにおいて符号化データ・スライスにアクセスする例の模式的なブロック図である。
【図１５】本発明による、ＤＳＮにおける標準及び非標準データ・アクセスの方法の例の論理図である。
【図１６】本発明による、ＤＳＮにおいて標準及び非標準データにアクセスする方法の送信ステップの例の論理図である。
【図１７】本発明による、ＤＳＮにおいて標準及び非標準データにアクセスする方法の変換ステップの例の論理図である。
【発明を実施するための形態】
【０００９】
図１は、複数のコンピューティング・デバイス１２〜１６、管理ユニット１８、完全性（integrity）処理ユニット２０、及びＤＳＮメモリ２２を含む分散又はディストリビューテッド・ストレージ・ネットワーク（ＤＳＮ）１０の実施形態の模式的なブロック図である。ＤＳＮ１０のコンポーネントは、ネットワーク２４に結合され、ネットワーク２４は、１つ又は複数の無線及び／又は有線通信システム、１つ又は複数の非パブリック・イントラネット・システム及び／又は公衆インターネット・システム；及び／又は１つ又は複数のローカル・エリア・ネットワーク（ＬＡＮ）及び／又は広域ネットワーク（ＷＡＮ）を含むことができる。
【００１０】
ＤＳＮメモリ２２は、地理的に異なる場所（例えば、１つはシカゴ、１つはミルウォーキー等）に、共通の場所に、又はその組み合わせで配置することができる複数のストレージ・ユニット３６を含む。例えば、ＤＳＮメモリ２２が８個のストレージ・ユニット３６を含む場合、各ストレージ・ユニットは、異なる場所に配置される。別の例として、ＤＳＮメモリ２２が８個のストレージ・ユニット３６を含む場合、８個のストレージ・ユニット全てが同じ場所に配置される。さらに別の例として、ＤＳＮメモリ２２が８個のストレージ・ユニット３６を含む場合、第１の対のストレージ・ユニットは第１の共通の場所にあり、第２の対のストレージ・ユニットは第２の共通の場所にあり、第３の対のストレージ・ユニットは第３の共通の場所にあり、第４の対のストレージ・ユニットは第４の共通の場所にある。ＤＳＮメモリ２２は、８個より多い又は少ないストレージ・ユニット３６を含み得ることに留意されたい。さらに、各ストレージ・ユニット３６は、コンピューティング・コア（図２又はそのコンポーネントに示されるような）と、分散エラー符号化データを格納するための複数のメモリ・デバイスとを含むことに留意されたい。
【００１１】
コンピューティング・デバイス１２〜１６、管理ユニット１８、及び完全性処理ユニット２０の各々は、コンピューティング・コア２６を含み、コンピューティング・コア２６は、ネットワーク・インターフェース３０〜３３を含む。コンピューティング・デバイス１２〜１６はそれぞれ、携帯型コンピューティング・デバイス及び／又は固定型コンピューティング・デバイスとすることができる。携帯型コンピューティング・デバイスは、ソーシャル・ネットワーキング・デバイス、ゲーミング・デバイス、携帯電話、スマートフォン、デジタル・アシスタント、デジタル音楽プレーヤ、デジタル・ビデオ・プレーヤ、ラップトップ・コンピュータ、手持ち式コンピュータ、タブレット、ビデオ・ゲーム・コントローラ、及び／又はコンピューティング・コアを含む任意の他の携帯型デバイスとすることができる。固定型コンピューティング・デバイスは、パーソナル・コンピュータ（ＰＣ）、コンピュータ・サーバ、ケーブル・セットトップ・ボックス、衛星放送受信器、テレビ・セット、プリンタ、ファックス装置、家庭用娯楽機器、ビデオ・ゲーム機、及び／又は任意のタイプの家庭用若しくはオフィス用コンピューティング機器とすることができる。管理ユニット１８及び完全性処理ユニット２０の各々は、別個のコンピューティング・デバイスであってもよく、共通のコンピューティング・デバイスであってもよく、及び／又はコンピューティング・デバイス１２〜１６の１つ又は複数及び／又はストレージ・ユニット３６の１つ又は複数に統合されてもよいことに留意されたい。
【００１２】
各インターフェース３０、３２及び３３は、ネットワーク２４を介して間接的に及び／又は直接的に１つ又は複数の通信リンクをサポートするためのソフトウェア及びハードウェアを含む。例えば、インターフェース３０は、コンピューティング・デバイス１４と１６との間の通信リンク（例えば、有線、無線、直接、ＬＡＮを介する、ネットワーク２４を介するなど）をサポートする。別の例として、インターフェース３２は、コンピューティング・デバイス１２及び１６とＤＳＮメモリ２２との間の通信リンク（例えば、有線接続、無線接続、ＬＡＮ接続、及び／又はネットワーク２４との間の任意の他のタイプの接続）をサポートする。さらに別の例として、インターフェース３３は、ネットワーク２４に対する管理ユニット１８及び完全性処理ユニット２０の各々のための通信リンクをサポートする。
【００１３】
図３〜図８の１つ又は複数を参照して後で説明されるように、コンピューティング・デバイス１２及び１６は、コンピューティング・デバイスが、データ（例えば、データ４０）を分散ストレージ・エラー符号化及び復号するのを可能にする、分散ストレージ（ＤＳ）クライアント・モジュール３４を含む。この例示的な実施形態において、コンピューティング・デバイス１６は、コンピューティング・デバイス１４のための分散ストレージ処理エージェントとして機能する。この役割において、コンピューティング・デバイス１６は、コンピューティング・デバイス１４の代わりにデータを分散ストレージ・エラー符号化及び復号する。分散ストレージ・エラー符号化及び復号を用いれば、ＤＳＮ１０は、データ損失なしに、及び、データの冗長又はバックアップ・コピーを必要とせずに、かなりの数のストレージ・ユニットの障害に対する耐性がある（障害の数は、分散ストレージ・エラー符号化関数のパラメータに基づく）。さらに、ＤＳＮ１０は、データ損失なしにセキュアな方法で無期限にデータを格納する（例えば、システムは、権限のないデータ・アクセスの試みに対して非常に耐性がある）。
【００１４】
動作において、管理ユニット１８は、ＤＳ管理サービスを行う。例えば、管理ユニット１８は、コンピューティング・デバイス１２〜１４に対して個々に、又はユーザ・デバイスのグループの一部として、ディストリビューテッド・データ・ストレージ・パラメータ（例えば、ボールト（vault）の作成、ディストリビューテッド・ストレージ・パラメータ、セキュリティ・パラメータ、課金情報、ユーザ・プロファイル情報など）を確立する。特定の例として、管理ユニット１８は、ユーザ・デバイス、デバイスのグループ、又はパブリック・アクセスのためのＤＳＮメモリ２２内のボールト（例えば、ＤＳＮのネーム空間全体の一部と関連した仮想メモリ・ブロック）の作成を調整し、ボールトについての分散ストレージ（ＤＳ）エラー符号化パラメータを、ボールトごとに確立する。管理ユニット１８は、ＤＳＮ１０のレジストリ情報を更新することによって、各ボールトについてのＤＳエラー符号化パラメータの格納を容易にし、それにより、レジストリ情報は、ＤＳＮメモリ２２、コンピューティング・デバイス１２〜１６、管理ユニット１８、及び／又は完全性処理ユニット２０内に格納され得る。
【００１５】
管理ユニット１８は、ユーザ・プロファイル情報（例えば、アクセス制御リスト（ＡＣＬ））を作成し、ローカル・メモリ内及び／又はＤＳＮメモリ２２のメモリ内に格納する。ユーザ・プロファイル情報は、認証情報、許可、及び／又はセキュリティ・パラメータを含む。セキュリティ・パラメータは、暗号化／解読スキーム、１つ又は複数の暗号化鍵、鍵生成スキーム、及び／又はデータ符号化／復号スキームを含むことができる。
【００１６】
管理ユニット１８は、特定のユーザ、ユーザ・グループ、ボールト・アクセス、パブリック・ボールト・アクセス等に対する課金情報を作成する。例えば、管理ユニット１８は、非パブリック・ボールト及び／又はパブリック・ボールトにユーザがアクセスする回数を追跡し、それを用いてアクセスごとの課金情報を生成することができる。別の例では、管理ユニット１８は、ユーザ・デバイス及び／又はユーザ・グループによって格納された及び／又は取り出されたデータの量を追跡し、それを用いてデータ量ごとの課金情報を生成することができる。
【００１７】
別の例として、管理ユニット１８は、ネットワーク動作、ネットワーク管理、及び／又はネットワーク保守を実行する。ネットワーク動作は、ユーザ・データ割り当て要求（例えば、読み出し及び／又は書き込み要求）を認証すること、ボールトの作成を管理すること、ユーザ・デバイスに対する認証資格証明を確立すること、ＤＳＮ１０へ／からコンポーネント（例えば、ユーザ・デバイス、ストレージ・ユニット、及び／又はＤＳクライアント・モジュール３４を有するコンピューティング・デバイス）を追加／削除すること、及び／又はストレージ・ユニット３６に対する認証資格証明を確立することを含む。ネットワーク管理は、デバイス及び／又はユニットの障害を監視すること、ボールト情報を保持すること、デバイス及び／又はユニットのアクティブ化ステータスを決定すること、デバイス及び／又はユニットのロードを決定すること、及び／又はＤＳＮ１０の性能レベルに影響を与える任意の他のシステム・レベル動作を決定することを含む。ネットワーク保守は、ＤＳＮ１０のデバイス及び／又はユニットの交換、アップグレード、修理、及び／又は拡張を容易にすることを含む。
【００１８】
完全性処理ユニット２０は、「不良」又は欠損している符号化データ・スライスの再構築を実行する。高レベルにおいては、完全性処理ユニット２０は、ＤＳＮメモリ２２から、符号化データ・スライス、及び／又は符号化データ・スライスのスライス名の取り出し／リストを定期的に試みることによって再構築を実行する。取り出された符号化スライスについて、それらは、データ破損、古いバージョン等に起因するエラーに関してチェックされる。スライスがエラーを含む場合、それは「不良」スライスとしてフラグが立てられる。受け取られなかった及び／又はリストされなかった符号化データ・スライスについては、それらは、欠損スライスとしてフラグが立てられる。不良及び／又は欠損スライスは、その後、再構築されたスライスを生成するために良好なスライスとみなされる他の取り出された符号化データ・スライスを使用して再構築される。再構築されたスライスは、ＤＳＮメモリ２２内に格納される。
【００１９】
図２は、処理モジュール５０、メモリ・コントローラ５２、メイン・メモリ５４、ビデオ・グラフィック処理ユニット５５、入力／出力（ＩＯ）コントローラ５６、周辺コンポーネント相互接続（ＰＣＩ）インターフェース５８、ＩＯインターフェース・モジュール６０、少なくとも１つのＩＯデバイス・インターフェース・モジュール６２、読み出し専用メモリ（ＲＯＭ）基本入出力システム（ＢＩＯＳ）６４、及び１つ又は複数のメモリ・インターフェース・モジュールを含むコンピューティング・コア２６の実施形態の模式的なブロック図である。１つ又は複数のメモリ・インターフェース・モジュールは、ユニバーサル・シリアル・バス（ＵＳＢ）インターフェース・モジュール６６、ホスト・バス・アダプタ（ＨＢＡ）インターフェース・モジュール６８、ネットワーク・インターフェース・モジュール７０、フラッシュ・インターフェース・モジュール７２、ハードドライブ・インターフェース・モジュール７４、及びＤＳＮインターフェース・モジュール７６のうちの１つ又は複数を含む。
【００２０】
ＤＳＮインターフェース・モジュール７６は、従来のオペレーティング・システム（ＯＳ）ファイル・システム・インターフェース（例えば、ネットワーク・ファイル・システム（ＮＦＳ）、フラッシュ・ファイル・システム（ＦＦＳ）、ディスク・ファイル・システム（ＤＦＳ）、ファイル転送プロトコル（ＦＴＰ）、ウェブベースのディストリビューテッド・オーサリング及びバージョニング（ＷｅｂＤＡＶ）等）、及び／又はブロック・メモリ・インターフェース（例えば、スモール・コンピュータ・システム・インターフェース（ＳＣＳＩ）、インターネット・スモール・コンピュータ・システム・インターフェース（ｉＳＣＳＩ）等）を模倣するように機能する。ＤＳＮインターフェース・モジュール７６及び／又はネットワーク・インターフェース・モジュール７０は、図１のインターフェース３０〜３３の１つ又は複数として機能することができる。ＩＯデバイス・インターフェース・モジュール６２及び／又はメモリ・インターフェース・モジュール６６〜７６は、集合的に又は個々にＩＯポートと呼ぶことができることに留意されたい。
【００２１】
図３は、データの分散ストレージ・エラー符号化の一例の模式的なブロック図である。コンピューティング・デバイス１２又は１６が格納すべきデータを有するとき、コンピューティング・デバイス１２又は１６は、分散ストレージ・エラー符号化パラメータに基づく分散ストレージ・エラー符号化プロセスに従って、データを分散ストレージ・エラー符号化する。分散ストレージ・エラー符号化パラメータは、符号化関数（例えば、情報ディストリビューテッド・アルゴリズム、リード・ソロモン（Reed-Solomon）、コーシー・リード・ソロモン（Cauchy Reed-Solomon）、系統的符号化、非系統的符号化、オンライン・コード等）、データ・セグメント化プロトコル（例えば、データ・セグメント・サイズ、固定、可変等）、及びデータ・セグメント毎の符号化値を含む。データ・セグメント毎符号化値は、データ・セグメントの符号化当たりの（すなわち、符号化データ・スライスのセット内の）符号化データ・スライスの総数又はピラー幅（pillar width）数（Ｔ）；データ・セグメントを回復するのに必要な符号化データ・スライス・セットの符号化データ・スライスの復号閾値数（Ｄ）；データ・セグメントを復号するためにストレージから読み出すべきセット当たりの符号化データ・スライスの数を示す、符号化データ・スライスの読み出し閾値数（Ｒ）；及び／又は符号化データ・セグメントが適切に格納されたと見なされるまでに正確に格納されなければならないセット当たりの符号化データ・スライスの数を示す、書き込み閾値数（Ｗ）を含む。分散ストレージ・エラー符号化パラメータは、スライス（slicing）情報（例えば、各データ・セグメントに対して作成される符号化データ・スライスの数）、及び／又はスライス・セキュリティ情報（例えば、符号化データ・スライス毎の、暗号化、圧縮、完全性チェックサム等）をさらに含むことができる。
【００２２】
本例において、符号化関数としてコーシー・リード・ソロモンが選択され（一般的な例が図４に示され、特定の例が図５に示される）、データ・セグメント化プロトコルは、データ・オブジェクトを固定サイズのデータ・セグメントに分割することであり、データ・セグメント毎符号化値は、ピラー幅５、復号閾値３、読み出し閾値４、及び書き込み閾値４を含む。データ・セグメント化プロトコルに従って、コンピューティング・デバイス１２又は１６は、データ（例えば、ファイル（テキスト、ビデオ、音声等）、データ・オブジェクト、又は他のデータ配列）を複数の固定サイズのデータ・セグメント（例えば、キロバイトからテラバイト又はそれを上回る範囲の、１乃至Ｙの固定サイズ）に分割する。作成されるデータ・セグメントの数は、データのサイズ及びデータ・セグメント化プロトコルに依存する。
【００２３】
次に、コンピューティング・デバイス１２又は１６は、選択された符号化関数（例えば、コーシー・リード・ソロモン）を用いてデータ・セグメントを分散ストレージ・エラー・符号化し、符号化データ・スライスのセットを生成する。図４は、一般的なコーシー・リード・ソロモン符号化関数を示し、これは、符号化行列（encoding matrix、ＥＭ）、データ行列（ＤＭ）、及びコード化行列（coded matrix、ＣＭ）を含む。符号化行列（ＥＭ）のサイズは、選択されたデータ・セグメント毎符号化値のピラー幅数（Ｔ）及び復号閾値数（Ｄ）に依存する。データ行列（ＤＭ）を生成するために、データ・セグメントは、複数のデータブロックに分割され、データブロックは、１行当たりＺのデータブロックを有する数Ｄの行に配列される。Ｚは、データ・セグメントから作成されるデータブロックの数及び復号閾値数（Ｄ）の関数であることに留意されたい。コード化行列は、データ行列に符号化行列を行列乗算することによって生成される。
【００２４】
図５は、ピラー数（Ｔ）５及び復号閾値数３の、コーシー・リード・ソロモン符号化の特定の例を示す。この例において、第１のデータ・セグメントは、１２個のデータブロック（Ｄ１〜Ｄ１２）に分割される。コード化行列は、５行のコード化データブロックを含み、ここで第１の行Ｘ１１〜Ｘ１４は、第１の符号化データスライス（ＥＤＳ１＿１）に対応し、第２の行Ｘ２１〜Ｘ２４は、第２の符号化データスライス（ＥＤＳ２＿１）に対応し、第３の行Ｘ３１〜Ｘ３４は、第３の符号化データスライス（ＥＤＳ３＿１）に対応し、第４の行Ｘ４１〜Ｘ４４は、第４の符号化データスライス（ＥＤＳ４＿１）に対応し、第５の行Ｘ５１〜Ｘ５４は、第５の符号化データスライス（ＥＤＳ５＿１）に対応する。ＥＤＳの名称の２番目の数は、データ・セグメント数に対応することに留意されたい。
【００２５】
図３の検討に戻ると、コンピューティング・デバイスはまた、符号化データ・スライスのセット内の各符号化データスライス（ＥＤＳ）についてのスライス名（ＳＮ）も作成する。スライス名７８の典型的な形式が、図６に示される。図示のように、スライス名（ＳＮ）７８は、符号化データ・スライスのピラー数（例えば、１〜Ｔのうちの１つ）、データ・セグメント数（例えば、１〜Ｙのうちの１つ）、ボールト識別子（ＩＤ）、データ・オブジェクト識別子（ＩＤ）を含み、さらに符号化データ・スライスの改訂（revision）レベル情報を含むことができる。スライス名は、少なくとも部分的に、ＤＳＮメモリ２２への格納及びそこからの取り出しための符号化データ・スライスのためのＤＳＮアドレスとして機能する。
【００２６】
符号化の結果として、コンピューティング・デバイス１２又は１６は、複数の符号化データ・スライスのセットを生成し、これらには、格納用のストレージ・ユニットに対するそれぞれのスライス名が与えられる。図示のように、第１の符号化データ・スライスのセットは、ＥＤＳ１＿１からＥＤＳ５＿１までを含み、第１のスライス名のセットは、ＳＮ１＿１からＳＮ５＿１までを含み、最後の符号化データ・スライスのセットは、ＥＤＳ１＿ＹからＥＤＳ５＿Ｙまでを含み、最後のスライス名のセットは、ＳＮ１＿ＹからＳＮ５＿Ｙまでを含む。
【００２７】
図７は、図４の例において分散ストレージ・エラー符号化されて格納されたデータ・オブジェクトの、分散ストレージ・エラー復号の一例の模式的なブロック図である。この例において、コンピューティング・デバイス１２又は１６は、ストレージ・ユニットから、少なくとも、データ・セグメント毎の復号閾値数の符号化データ・スライスを取り出す。特定の例として、コンピューティング・デバイスは、読出し閾値数の符号化データ・スライスを取り出す。
【００２８】
復号閾値数の符号化データ・スライスからのデータ・セグメントを回復するために、コンピューティング・デバイスは、図８に示すような復号関数を用いる。図示のように、復号関数は、本質的に図４の符号化関数の逆行列である。コード化行列は、復号閾値数（例えば、この例では３）の行を含み、復号行列は、コード化行列の対応する行を含む符号化行列の逆行列である。例えば、コード化行列が行１、２及び４を含む場合、符号化行列を行１、２及び４に減らし、次いで逆行列にして、復号行列を生成する。
【００２９】
図９は、複数のストレージ・ユニットのプールの実施形態の模式的なブロック図である。この例では、ストレージ・ユニット３６は、複数のストレージ・プール（例えば、１〜ｎ）内に配置される。さらに、説明を簡単にするために、各ストレージ・プールは、７つのストレージ・ユニットを含む。しかしながら、ストレージ・プールは、７つよりはるかに多いストレージ・ユニットを有することができ、ストレージ・プールごとに、異なる数のストレージ・ユニットを有することもできる。
【００３０】
ストレージ・プール１〜ｎは、７つのストレージ・ユニットのうちの５つのみを用いて、２つのボールト（ボールト１及びボールト２）をサポートする。ボールトをサポートするストレージ・プール内のストレージ・ユニットの数は、ピラー幅数に対応し、この例では、ピラー幅数は５である。ストレージ・プールは、ストレージ・ユニットの行を有することができ、ここで、ＳＵ＃１は、各々が第１のピラー数に対応する複数のストレージ・ユニットを表し、ＳＵ＃２は、各々が第２のピラー数に対応する複数のストレージ・ユニットを表し、以下同様であることに留意されたい。他のボールトは、５つのストレージ・ユニットのピラー幅数よりも多い又は少ないピラー幅数を使用できることに留意されたい。さらに、管理ユニット、又は他のオーソリティのコンピューティング・デバイスが、ストレージ・ユニットのストレージ・プールの構成、ＤＳＮアドレス範囲、及び／又はストレージ・ユニットによる通信プロトコルを定める構成情報を発行することに留意されたい。
【００３１】
図１０は、デバイス８０、ＤＳＮネットワーク８２、別のネットワーク８４、及び複数のストレージ・ユニット３６（５つが図示される）を含む、ＤＳＮの別の実施形態の模式的なブロック図である。デバイス８０は、ＤＳクライアント・モジュール３４を含み、コンピューティング・デバイス１２（例えば、それぞれのＤＳＮ符号化及び復号を行うもの）、コンピューティング・デバイス１６（例えば、他のコンピューティング・デバイスのためにＤＳＮ符号化及び復号を行うもの）、管理ユニット１８、及び／又は完全性処理ユニット２０とすることができる。ＤＳＮネットワーク８２は、図１のネットワーク２４を含み、他のネットワーク８４は、ＬＡＮ、ＷＡＮ、及び／又はその組み合わせを含む。ＤＳＮネットワーク８２及び他のネットワーク８４は、相互排他的ネットワークであってもよく、又は実質的に同じインフラストラクチャから成るものであってもよい。
【００３２】
ストレージ・ユニット３６の各々は、標準ＤＳＮインターフェース８６、非標準ＤＳＮインターフェース８８、論理−物理アドレス変換モジュール９０、非標準−標準変換モジュール９２、コンピューティング・コア２６内のメモリ・コントローラ５２、及び物理メモリ９４を含む。物理メモリ９４は、ハードドライブ・メモリ、テープ・メモリ、ＤＳＮメモリ、フラッシュ・メモリ、及びサム・ドライブ・メモリのうちの１つ又は複数を含む。物理メモリ９４は、標準ＤＳＮデータ・アクセス・プロトコル（例えば、従来の手法、標準化された手法、事実上の標準化された手法、及び／又は独自の手法）に従って、符号化データ・スライスを格納する。
【００３３】
動作の例において、デバイス８０は、標準ＤＳＮデータ・アクセス・プロトコル又は非標準ＤＳＮデータ・アクセス・プロトコル（例えば、標準ＤＳＮデータ・アクセス・プロトコルではない）を用いて、データに関するデータ要求を発行するかどうかを決定する。例えば、標準ＤＳＮデータ・アクセス・プロトコルは、図１〜図９の１つ又は複数を参照して検討されるＤＳＮ動作に対応する。従って、この例では、非標準ＤＳＮデータ・アクセス・プロトコルは、ＤＳＮメモリ２２（すなわち、ストレージ・ユニット３６）内のデータにアクセスする何らかの他の方法である。
【００３４】
デバイス８０は、１つ又は複数の要因に基づいて、標準ＤＳＮデータ・アクセス・プロトコルか又は非標準ＤＳＮデータ・アクセス・プロトコルかを決定する。例えば、デバイスは、データが複数の関連したデータ・オブジェクトを含むとき、非標準ＤＳＮデータ・アクセス・プロトコルを使用すると決定する。特定の例として、関連したデータ・オブジェクトは、同じ主題等に関する、同じ著者による本の章等である。非標準ＤＳＮデータ・アクセス・プロトコルを使用すると決定する際の別の要因は、関連したデータについて、より少ないデータ・アクセス要求を生成、送付、及び処理する必要があることである。
【００３５】
別の例として、デバイスは、データが異なる改訂レベルのデータ・オブジェクトを含むとき、非標準ＤＳＮデータ・アクセス・プロトコルを使用すると決定する。特定の例として、データ・オブジェクトは、１回又は複数回、変更されている。各変更について、データ・オブジェクトは分散ストレージ・エラー符号化されて、複数の符号化データ・スライスのセットを生成する。複数の符号化データ・スライスのセットの各々の符号化データ・スライスは、変更のレベルに対応する改訂レベルを有する。従って、同じデータの複数の改訂レベルにアクセスしたいと望むとき、非標準ＤＳＮデータ・アクセス・プロトコルが使用される。
【００３６】
さらに別の例として、デバイスは、データが特定の符号化データ・スライスのセットを含むとき、標準ＤＳＮデータ・アクセス・プロトコルを使用すると決定する。例えば、特定の符号化データ・スライスのセットは、非標準ＤＳＮデータ・アクセス・プロトコルに従って作成されたデータ名と結びつけられた複数の他の符号化データ・スライスのセットに属する。更に別の例として、デバイスは、データ・アクセス機能に基づいて、非標準ＤＳＮデータ・アクセス・プロトコルを使用するか、又は標準ＤＳＮデータ・アクセス・プロトコルを使用するかを決定する。特定の例として、デバイスは、書き込み要求に対して標準ＤＳＮデータ・アクセス・プロトコルを使用し、読み出し要求又はリスト要求（例えば、格納された符号化データ・スライスに対応するスライス名のリストを戻す、ここでフライス名はスライス名の範囲内にある）に対して非標準ＤＳＮデータ・アクセス・プロトコルを使用すると決定する。
【００３７】
デバイスが非標準ＤＳＮデータ・アクセス・プロトコルを使用すると決定すると、デバイスは、データに関する非標準データ・アクセス要求９８のセットを生成する。例えば、非標準データ・アクセス要求は、ストレージ・ユニットのネットワーク識別子１０２、データに対応するデータ識別子、及びデータ・アクセス機能を含む。これは、図１６を参照してより詳細に説明する。次に、デバイスは、非標準データ・アクセス要求のセットを、ストレージ・ユニットの少なくとも幾つかに送る。
【００３８】
ストレージ・ユニット（例えば、ストレージ・ユニット１）は、第１のストレージ・ユニットを識別するネットワーク識別子に基づき、非標準ＤＳＮインターフェース８８を介して、非標準データ・アクセス要求の対応するものを受け取る。非標準ＤＳＮインターフェース８８は、物理的コネクタ（例えば、ネットワーク・ポート）、及び１つ又は複数のインターフェース・プロトコル・アプリケーションを含むことに留意されたい。例えば、インターフェース・プロトコル・アプリケーションは、アプリケーション・プログラム・インターフェース（ＡＰＩ）、及び／又はＬＡＮ信号プロトコル・ドライバ、ＷＡＮ信号プロトコル・ドライバである。
【００３９】
インターフェース８８は、非標準データ・アクセス要求を、非標準−標準変換モジュール９２は、非標準データ・アクセス要求を１つ又は複数のＤＳＮスライス名に変換する（例えば、名称変換機能を提供する）非標準−標準変換モジュール９２に転送する。次に、ストレージ・ユニットは、１つ又は複数のＤＳＮスライス名が、ストレージ・ユニットに割り当てられたスライス名範囲内にあるかどうかを判断する。スライス名が範囲内にない場合、ストレージ・ユニットは、エラーを報告するか、又は単に要求を無視する。スライス名が範囲内にある場合、スライス名は、論理−物理アドレス変換モジュール９０に与えられ、データの対応する符号化データ・スライスが物理的に格納される場所を決定する。次に、ストレージ・ユニットは、対応する符号化データ・スライスに関するデータ・アクセス機能（例えば、読み出し、書き込み、変更、削除、リスト）を実行する。
【００４０】
コンピューティング・デバイスが標準ＤＳＮデータ・アクセス・プロトコルを使用すると決定すると、コンピューティング・デバイスは、図１〜図９の１つ又は複数を参照して既述されるような、データに関するデータ・アクセス要求９６のセットを生成する。次に、デバイスは、スライス名１００に基づき、要求をストレージ・ユニットに送る。ストレージ・ユニット１内では、デバイスは、対応する要求及びスライス名を受け取る。論理−物理アドレス変換モジュール９０は、スライス名を物理アドレスに変換し、対応する符号化データ・スライスが格納される場所を決定する。次に、ストレージ・ユニットは、対応する符号化データ・スライスに関するデータ・アクセス機能（例えば、読み出し、書き込み、変更、削除、リスト）を実行する。
【００４１】
図１１は、標準符号化データ・スライス命名（naming）の例の図である。この例では、データ４１（例えば、本、ビデオ、フォトライブラリ等）がデータ・オブジェクト４０−１乃至４０−ｚに分けられる。データ・オブジェクトの各々は、オブジェクトＩＤ（例えば、ランダムに生成された）が割り当てられ、データ・セグメントに分けられる。各データ・セグメントは、セグメントＩＤが割り当てられ、分散ストレージ・エラー符号化されて、符号化データ・スライスのセットを生成する。各符号化データ・スライスは、ピラー数、セグメントＩＤ（又は数）、ボールトＩＤ、改訂数、及びオブジェクトＩＤを含むスライス名を有する。データ４１を取り出すために、デバイスは、データ４１に関連する各データ・オブジェクトについて別個の読み出し要求を生成及び発行する。
【００４２】
図１２は、非標準データ命名の例の図である。この例では、データ４１は再びデータ・オブジェクト４０−１乃至４０−ｚに分けられる。データ４１にはデータ名（例えば、本１、ビデオ１、フォトライブライ１）が割り当てられ、各データ・オブジェクトには関連した名称（例えば、本１＿チャプタ１、ビデオ１＿チャプタ１、ライブラリ１＿チャプタ１等）が割り当てられる。データ４１を取り出すために、デバイスは、データ４１に対する単一の読み出し要求を生成及び発行する。
【００４３】
図１３は、非標準データ命名の別の例の図である。この例では、関連したデータ・オブジェクトは、所定の関連したデータ名である。例えば、データ・オブジェクト４０−１は、所定の名称本１のチャプタ１であり、データ・オブジェクト４０−ｚは、所定の名称本１のチャプタｚである。データ・オブジェクト名の１つを用いて、デバイスは、関連した名称を有するデータ・オブジェクトの全て、又は少なくとも一部を取り出すことができる。デバイス及びストレージ・ユニットは、変換を容易にするために、標準ＤＳＮデータ・オブジェクト名の非標準ＤＳＮオブジェクトＩＤへのマッピングを保持することに留意されたい。
【００４４】
図１４は、ＤＳＮにおいて符号化データ・スライスにアクセスする例の模式的なブロック図である。符号化データ・スライス（ＥＤＳ）の各列は、符号化スキームのピラー幅数のピラー数に対応する。この例では、ピラー幅数は５であり、ここでピラー数１のＥＤＳは、１つ又は複数の第１のストレージ・ユニット（ＳＵ  １）内に格納され、ピラー数２のＥＤＳは、１つ又は複数の第２のストレージ・ユニット（ＳＵ  ｓ）内に格納され、以下同様である。この例は、ストレージ・ユニットが２つのボールト（ボールト１及び２）をサポートすることをさらに示す。
【００４５】
各符号化データ・スライス（ＥＤＳ）は、そのスライス名に基づいて格納され、ＥＤＳは、最上位から最下位への順に、ピラー数、セグメント数、ボールト数（ボールト生成情報を含む）、改訂数、及びオブジェクト数を含む。ピラー数がスライス名の最上位部分である場合、それは、ピラー１のＥＤＳが第１のストレージ・ユニット内に格納されることを可能にする。第１のストレージ・ユニット内で、ＥＤＳは、セグメント数、ボールト数、改訂数、及びオブジェクト数により順に格納される。従って、符号化データ・オブジェクトに対応する複数の符号化データ・スライス・セットの場合、ピラー１のＥＤＳは、連続した方法で論理的に格納されず、それらは、他の符号化データ・オブジェクトのピラー１のＥＤＳ及び同じデータ・オブジェクトの異なる改訂レベルが散在する。
【００４６】
この例でさらに示されるように、３つの符号化データ・オブジェクト：すなわち、データ・オブジェクト「ａ１」、データ・オブジェクト「ａ２」、及びデータ・オブジェクト「ｂ１」が格納される。データ・オブジェクト「ａ１」の２つの改訂：すなわち、改訂レベル「１」（例えば、複数の以前の改訂ＥＤＳのセット）及び改訂レベル「２」（例えば、複数の現在の改訂ＥＤＳのセット）が格納される。
【００４７】
例において、符号化データ・オブジェクト「ａ１」の２つの改訂レベルにアクセスするために標準ＤＳＮデータ・アクセス・プロトコルを使用することは、２つの複数のアクセス要求のセット：すなわち、各改訂レベルについて１つを必要とする。しかしながら、非標準ＤＳＮデータ・アクセス・プロトコルを用いて、データ・オブジェクト「ａ１」を識別する１つのアクセス要求が、両方の改訂レベルへのアクセスを提供する。
【００４８】
別の例として、データ・オブジェクト「ａ１」及び「ａ２」が関連する場合（例えば、本のチャプタ）、２つの符号化データ・オブジェクトにアクセスするために標準ＤＳＮデータ・アクセス・プロトコルを使用することは、２つの複数のアクセス要求のセット、すなわち各データ・オブジェクトについて１つを必要とする。しかしながら、非標準ＤＳＮデータ・アクセス・プロトコルを用いて、両方のデータ・オブジェクト「ａ１」及び「ａ２」を識別する１つのアクセス要求が、両方のデータ・オブジェクトへのアクセスを提供する。両方のデータ・オブジェクトが識別子である方法に応じて、非標準ＤＳＮデータ・アクセス要求は、所定のデータ・オブジェクトの最新の改訂レベル、所定のデータ・オブジェクトの選択された改訂レベル、又は所定のデータ・オブジェクトの複数の改訂レベルのみにアクセスする。
【００４９】
図１５は、デバイス（例えば、コンピューティング・デバイス１２又は１６）が、ＤＳＮからのデータにアクセスするために、非標準ＤＳＮデータ・アクセス・プロトコルを使用するか、又は標準ＤＳＮデータ・アクセス・プロトコルを使用するかを決定するステップ１１０を含む、ＤＳＮにおける標準及び非標準データ・アクセスの方法の例の論理図である。データ（例えば、データ・セグメント、データ・セグメントのグループ、データ・オブジェクト、複数のデータ・オブジェクト等）は、ＤＳＮのストレージ・ユニットのセット内に格納される１つ又は複数の符号化データ・スライスのセットに分散ストレージ・エラー符号化される。
【００５０】
デバイスは、非標準ＤＳＮデータ・アクセス・プロトコル又は標準ＤＳＮデータ・アクセス・プロトコルを種々の方法で使用すると決定することができる。例えば、デバイスは、データが複数の関連したデータ・オブジェクトを含むとき、非標準ＤＳＮデータ・アクセス・プロトコルを使用すると決定する。別の例として、デバイスは、異なる改訂レベルのデータ・オブジェクトを含むとき、非標準ＤＳＮデータ・アクセス・プロトコルを使用すると判断する。さらに別の例として、デバイスは、データが特定の符号化データ・スライスのセットを含むとき、標準ＤＳＮデータ・アクセス・プロトコルを使用すると決定する。更に別の例として、デバイスは、データ・アクセス機能（例えば、書き込み機能若しくは削除機能について標準プロトコルを使用する、読み出し機能若しくはリスト機能について非標準プロトコルを使用する）に基づいて、非標準ＤＳＮデータ・アクセス・プロトコル又は標準ＤＳＮデータ・アクセス・プロトコルを使用すると決定する。
【００５１】
デバイスが、非標準ＤＳＮデータ・アクセス・プロトコルを使用すると決定すると、方法は、デバイスがデータに関する非標準データ・アクセス要求のセットを生成する、ステップ１１２に継続する。非標準データ・アクセス要求は、ストレージ・ユニットのネットワーク識別子、データに対応するデータ識別子、及びデータ・アクセス機能を含む。１つの例では、ネットワーク識別子は、ストレージ・ユニットにおいて、ｕｎｉｆｏｒｍ  ｒｅｃｏｒｄ  ｌｏｃａｔｏｒ（ＵＲＬ）、ネットワーク・ポート、ネットワーク・インターフェース、アプリケーション・プログラム・インターフェース（ＡＰＩ）、信頼証明書（trusted certificate）、認証オーソリティ（authentication authority）、及び資格証明（credential）のうちの１つ又は複数を含む。別の例において、データ識別子は、ファイル名、ＵＲＬに埋め込まれた名称、１つ又は複数のデータ・オブジェクト名、１つ又は複数のデータ・セグメント名、データの名称、データの集合の名称のうちの１つ又は複数を含む。更に別の例において、データ・アクセス機能は、読み出し要求、書き込み要求、削除要求、及びリスト要求のうちの１つ又は複数を含む。更に別の例において、デバイスは、関連した符号化データ・スライスの特定、関連した符号化データ・スライスのリスト、及び符号化データ・スライスに関する変換した名称のリストのうちの１つ又は複数を含む、特定のＤＳＮ機能を最適化するためのデータ識別子を生成する。関連した（related）とは、トピックによる関連、命名による関連、データ編成による関連、及び／又は改訂数による関連を含むことに留意されたい。
【００５２】
方法は、デバイスが、非標準データ・アクセス要求を、ストレージ・ユニットを含むストレージ・ユニットにセットの少なくとも幾つかのストレージ・ユニットに送る、ステップ１１４に継続する。方法は、ストレージ・ユニットが、非標準データ・アクセス要求を１つ又は複数のＤＳＮスライス名に変換する、ステップ１１６に継続する。１つの例が、図１７を参照してさらに説明される。
【００５３】
方法は、ストレージ・ユニットが、１つ又は複数のＤＳＮスライス名がストレージ・ユニットに割り当てられたスライス名範囲内にあるかどうかを判断する、ステップ１１８に継続する。１つ又は複数のＤＳＮスライス名がスライス名範囲内にない場合、方法は、ストレージ・ユニットが、要求がエラーであり、エラー・メッセージを送る又は要求を無視すると決定する、ステップ１２２に継続する。しかしながら、１つ又は複数のＤＳＮスライス名がスライス名範囲内にある場合、方法は、ストレージ・ユニットが、１つ又は複数のＤＳＮスライス名に対応する１つ又は複数の符号化データ・スライスに関するデータ・アクセス機能（例えば、読み出し、書き込み、削除、リスト等）を実行する、ステップ１２０に継続する。
【００５４】
ステップ１１０において、デバイスが、標準ＤＳＮデータ・アクセス・プロトコルを使用すると決定すると、方法は、デバイスが、ＤＳＮスライス名及びデータ・アクセス機能を含む、データに関するデータ・アクセス要求のセットを生成する、ステップ１２４に継続する。ＤＳＮスライス名は、ストレージ・ユニットについてのＤＳＮアドレスを提供することに留意されたい。方法は、デバイスが、データ・アクセス要求のセットをストレージ・ユニットのセットに送る、ステップ１２６に継続する。方法は、ストレージ・ユニットがデータ・アクセス機能を実行する、ステップ１２８に継続する。
【００５５】
図１６は、ＤＳＮにおける標準及び非標準データ・アクセスの方法の送信ステップの例の論理図である。要求を設定する各ストレージ・ユニットに関して、方法は、デバイスが信頼証明書（例えば、ストレージ・ユニットに関する信頼できるオーソリティによる署名された証明書）、認証オーソリティ（例えば、信頼できるオーソリティが信頼証明書を発行する）、及び資格証明（例えば、トランザクションを認証する権利、ＤＳＮ内の他のデバイスと通信する権利、こうした通信の性質に関する権利等）のうちの１つ又は複数を検証する、ステップ１３０を含む。ステップ１３２において検証されない場合、方法は、デバイスがエラーを引き起こす（すなわち、デバイスが間違ったストレージ・ユニット又は無効なストレージ・ユニットを識別した）、ステップ１３４に継続する。
【００５６】
信頼証明書、認証オーソリティ、及び資格証明のうちの１つ又は複数が検証されると、方法は、デバイスが、ＵＲＬ、ネットワーク・ポート、ネットワーク・インターフェース、及びＡＰＩの１つを介してストレージ・ユニットをアドレス指定し、決定されたアクセス機構を生成すると決定する、ステップ１３６に継続する。方法は、デバイスが、決定されたアクセス機構を介して、非標準データ・アクセス要求のセットを少なくとも幾つかのストレージ・ユニットに送る、ステップ１３８に継続する。
【００５７】
図１７は、ＤＳＮにおける標準及び非標準データ・アクセスの方法の変換ステップの例の論理図である。方法は、ストレージ・ユニットが、データ・アクセス要求を発行する要求中のデバイスの識別に基づいてボールト識別子を決定する、ステップ１４０から始まる。例えば、ストレージ・ユニットは、検索を行ってボールトを識別する。別の例として、要求は、ボールトＩＤを含む。方法は、ストレージ・ユニットが、ボールト識別子及びネットワーク識別子に基づいてピラー数を決定する、ステップ１４２に継続する。例えば、ストレージ・ユニットは、ピラーを格納するこのボールトについて、１つの符号化データ・スライスを知っている。別の例として、ネットワーク識別子は、ピラー数の表示を含む。
【００５８】
方法は、ストレージ・ユニットが、データ識別子に基づいてセグメント識別子の範囲を決定する、ステップ１４４に継続する。方法は、ストレージ・ユニットが、データ識別子に基づいてオブジェクト識別子を決定する、ステップ１４６に継続する。例えば、オブジェクト識別子に基づいて、ストレージ・ユニットは、データ・オブジェクトと関連したセグメントの数を検索する、又は他の方法で決定することができる。方法は、ストレージ・ユニットが、ピラー数、ボールト識別子、セグメント識別子の範囲、及びオブジェクト識別子に基づいて１つ又は複数のＤＳＮスライス名を生成する、ステップ１４８に継続する。デバイスは、図１７の逆を行って、非標準ＤＳＮデータ・アクセス要求に対してネットワーク識別子及びデータ識別子を生成できることに留意されたい。
【００５９】
本明細書で使用され得る場合、ビットストリーム、ストリーム、信号シーケンス等（又はその均等物）などの用語は、そのコンテンツが多数の所望のタイプ（例えば、いずれも一般に「データ」と呼ぶことができるデータ、ビデオ、スピーチ、音声等）のいずれかに対応するデジタル情報を記述するために互換的に用いられていることに留意されたい。
【００６０】
本明細書で使用できる場合、「実質的に」及び「約」という用語は、その対応する用語及び／又は項目間の相関性について業界で受け入れられる許容範囲を与える。そのような業界で受け入れられる許容範囲は、１パーセント未満から５０パーセントまでに及び、これらに限定されるものではないが、成分値、集積回路プロセス変動、温度変動、立ち上がり及び立ち下がり時間、及び／又は熱雑音に対応する。そのような項目間の相関性は、数パーセントの差から大規模な差に及ぶ。同じく本明細書で使用できる場合、「動作可能に結合された」、「結合された」、及び／又は「結合」という用語は、項目間の直接結合、及び／又は介在する項目を介する項目間の間接結合を含み（例えば、項目は、これらに限定されるものではないが、コンポーネント、要素、回路、及び／又はモジュール）、ここで、間接結合については、介在する項目は、信号の情報を変更しないが、その電流レベル、電圧レベル、及び／又は電力レベルを調整することができる。さらに本明細書で使用できる場合、推論結合（inferred coupling）（すなわち、１つの要素が別の要素に推論によって結合される）は、「結合される」と同じように２つの項目間の直接及び間接結合を含む。さらに本明細書で使用できる場合、「動作可能」又は「動作可能に結合された」という用語は、項目が、アクティブにされたときに１つ又は複数の対応する機能を実行するための電力接続、入力、出力等のうちの１つ又は複数を含むことを示し、１つ又は複数の他の項目に推論結合することをさらに含むことができる。さらに本明細書で使用できる場合、「関連付けられた」という用語は、別個の項目、及び／又は別の項目内に埋め込まれている１つの項目の直接及び／又は間接結合を含む。
【００６１】
本明細書で使用できる場合、「比較して好ましい（compares favorably）」という用語は、２つ又はそれより多い項目、信号等の間の比較が望ましい関係を与えることを示す。例えば、望ましい関係が、信号１が信号２より大きい強さを有することである場合、信号１の強さが信号２の強さよりも大きいとき、又は信号２の強さが信号１の強さよりも小さいときに、好ましい比較が達成され得る。本明細書で使用し得る場合、「比較して好ましくない（compares unfavorably）」という用語は、２つ又はそれより多い項目、信号等の間の比較が所望の関係を与えないことを示す。
【００６２】
また本明細書で使用できる場合、「処理モジュール」、「処理回路」、及び／又は「処理ユニット」という用語は、単一の処理デバイス又は複数の処理デバイスであり得る。そのような処理デバイスは、マイクロプロセッサ、マイクロコントローラ、デジタル・シグナル・プロセッサ、マイクロコンピュータ、中央処理装置、フィールド・プログラマブル・ゲート・アレイ、プログラマブル論理デバイス、状態機械、論理回路、アナログ回路、デジタル回路、及び／又は回路のハード・コーディング及び／又は動作命令に基づいて信号（アナログ及び／又はデジタル）を操作する任意のデバイスであり得る。処理モジュール、モジュール、処理回路、及び／又は処理ユニットは、メモリ及び／又は集積メモリ要素であることができ、又はそれらをさらに含むことができ、それらは、単一のメモリ・デバイス、複数のメモリ・デバイス、及び／又は別の処理モジュール、モジュール、処理回路、及び／又は処理ユニットの組み込み回路であり得る。そのようなメモリ・デバイスは、読み出し専用メモリ、ランダム・アクセス・メモリ、揮発性メモリ、不揮発性メモリ、スタティック・メモリ、ダイナミック・メモリ、フラッシュ・メモリ、キャッシュメモリ、及び／又はデジタル情報を格納する任意のデバイスであり得る。処理モジュール、モジュール、処理回路、及び／又は処理ユニットが１つより多い処理デバイスを含む場合、処理デバイスは、中央に配置されてよく（例えば、有線及び／又は無線のバス構造を介して一緒に直接結合される）、又はディストリビュートして配置されてもよい（例えば、ローカル・エリア・ネットワー及び／又は広域ネットワークを介した間接結合によるクラウド・コンピューティング）ことに留意されたい。さらに、処理モジュール、モジュール、処理回路、及び／又は処理ユニットが、状態機械、アナログ回路、デジタル回路、及び／又は論理回路を介してその機能の１つ又は複数を実装する場合、対応する動作命令を格納するメモリ及び／又はメモリ要素は、状態機械、アナログ回路、デジタル回路、及び／又は論理回路を含む回路の内部又は外部に組み込まれ得ることに留意されたい。さらに、図の１つ又は複数に示されるステップ及び／又は機能の少なくとも幾つかに対応するハード・コード命令及び／又は動作命令を、メモリ要素が格納し、処理モジュール、モジュール、処理回路、及び／又は処理ユニットが実行することができることにも留意されたい。そのようなメモリ・デバイス又はメモリ要素は、製造品内に含まれ得る。
【００６３】
１つ又は複数の実施形態は、指定された機能及びその関係の性能を示す方法ステップを用いて上記に説明されている。これらの機能的な基本構成要素（functional building block）及び方法ステップの範囲及びシーケンスは、説明の便宜のために本明細書では任意に定められている。指定された機能及び関係が適切に実施される限り、代替的な範囲及びシーケンスを定めることもできる。従って、いずれのそのような代替的な範囲又はシーケンスも、特許請求される発明の範囲内にある。さらに、これらの機能的基本構成要素の範囲は、説明の便宜のために任意に定められている。特定の重要な機能が適切に実施される限り、代替的な範囲を定めることができる。同様に、フロー図のブロックは、特定の重要な機能を示すために本明細書では任意に定められ得る。
【００６４】
使用される範囲において、フロー図のブロックの範囲及びシーケンスは、別様に定められてもよく、依然として特定の重要な機能を実施することができる。従って、機能的基本構成要素及びフロー図のブロックの両方のそうした代替的定義は、特許請求される発明の範囲内にある。当業者であれば、本明細書における機能的基本構成要素、及び他の例示的なブロック、モジュール、及びコンポーネントは、例示されたように実装されてよく、又は個別部品、特定用途向け集積回路、適切なソフトウェアなどを実行するプロセッサ、又はこれらの任意の組み合わせによって実装されてもよいことも認識するであろう。
【００６５】
加えて、フロー図は、「開始」及び／又は「続行」の表示を含むことができる。「開始」及び「続行」表示は、提示されたステップを他のルーチンに任意に組み込むことができること又は別様に他のルーチンと関連して用いることできることを反映する。この文脈において、「開始」は、提示された最初のステップの始まりを示すものであり、具体的に示されていない他の活動がその前に先立っていてもよい。さらに、「続行」表示は、提示されたステップを複数回実行することができること、及び／又は具体的に示されていない他の活動がその後に続いていてもよいことを反映する。さらに、フロー図は、ステップの特定の順序を示すが、因果律が維持される条件で、他の順序も同様に可能である。
【００６６】
１つ又はそれ以上の実施形態は、本明細書において、１つ又は複数の態様、１つ又は複数の特徴、１つ又は複数の概念、及び／又は１つ又は複数の例を示すために使用されている。装置、製品、機械、及び／又はプロセスの物理的実施形態は、本明細書で論じられる実施形態の１つ又は複数を参照して説明される態様、特徴、概念、例等の１つ又は複数を含み得る。さらに、図ごとに、実施形態は、同じ若しくは異なる参照番号を使用することができる同じ又は類似した名前の機能、ステップ、モジュール等を組み込んでもよく、従って、それらの機能、ステップ、モジュール等は、同じ又は類似した機能、ステップ、モジュール等であってもよく、又は異なるものであってもよい。
【００６７】
特に記述されていない限り、本明細書に提示された図面のいずれかの図における要素への、要素からの、及び／又は要素間の信号は、アナログ又はデジタル、連続時間又は離散時間、及びシングルエンド又は差動であり得る。例えば、信号経路がシングルエンド経路として示されている場合、それは差動信号経路も表す。同様に、信号経路が差動経路として示されている場合、それはシングルエンド信号経路も表す。１つ又は複数の特定のアーキテクチャが本明細書に説明されるが、当業者により認識されるように、明確に示されていない１つ又は複数のデータ・バス、要素間の直接接続、及び／又は他の要素間の間接結合を使用する他のアーキテクチャが同様に実装されてもよい。
【００６８】
「モジュール」という用語は、本発明の種々の実施形態の説明で使用される。モジュールは、本明細書で説明され得るような１つ又は複数の機能を実行するための処理モジュール、機能ブロック、ハードウェア、及び／又はメモリ上に格納されたソフトウェアを含む。モジュールがハードウェアによって実装される場合、ハードウェアは、ソフトウェア及び／又はファームウェアと独立して及び／又は関連して動作することができることに留意されたい。本明細書で使用される場合、モジュールは、１つ又は複数のサブ・モジュールを含むことができ、サブ・モジュールの各々は、１つ又は複数のモジュールであり得る。
【００６９】
本明細書においてさらに使用し得るように、コンピュータ可読メモリは、１つ又は複数のメモリ要素を含む。メモリ要素は、別個のメモリ・デバイス、複数のメモリ・デバイス、又はメモリ・デバイス内のメモリ位置の集合とすることができる。このようなメモリ・デバイスは、読出し専用メモリ、ランダム・アクセス・メモリ、揮発性メモリ、不揮発性メモリ、静的メモリ、動的メモリ、フラッシュ・メモリ、キャッシュメモリ、及び／又はデジタル情報を格納するあらゆるデバイスとすることができる。メモリ・デバイスは、固体メモリ、ハードドライブ・メモリ、クラウド・メモリ、サムドライブ、サーバメモリ、コンピューティング・デバイスメモリ、及び／又はデジタル情報を格納するための他の物理媒体の形態とすることができる。
【００７０】
本発明の種々の機能及び特徴の特定の組み合わせが本明細書で明示的に説明されているが、これらの特徴及び機能の他の組み合わせも同様に可能である。本発明は、本明細書に開示された特定の例により限定されるものではなく、これらの他の組み合わせを明白に組み込む。
【符号の説明】
【００７１】
１０：分散又はディストリビューテッド・ストレージ・ネットワーク（ＤＳＮ）
１２〜１６：コンピューティング・デバイス
１８：管理ユニット
２０：完全性処理ユニット
２２：ＤＳＮメモリ
２４：ネットワーク
２６：コンピューティング・コア
３０〜３３：ネットワーク・インターフェース
３４：分散ストレージ（ＤＳ）クライアント・モジュール
３６：ストレージ・ユニット
４０、４１：データ
５０：処理モジュール
５２：メモリ・コントローラ  
５４：メイン・メモリ
５５：ビデオ・グラフィック処理ユニット
５６：入力／出力（ＩＯ）コントローラ
５８：周辺コンポーネント相互接続（ＰＣＩ）インターフェース
６２：ＩＯデバイス・インターフェース・モジュール
７０：ネットワーク・インターフェース・モジュール
７６：ＤＳＮインターフェース・モジュール
７８：スライス名
８０：デバイス
８２：ＤＳＮネットワーク
８４：他のネットワーク
８６：標準ＤＳＮインターフェース
８８：非標準ＤＳＮインターフェース
９０：論理−物理アドレス変換モジュール
９２：非標準−標準変換モジュール
９４：物理メモリ
９６：データ・アクセス要求
９８：非標準ＤＳＮデータ・アクセス要求
１００：スライス名
１０２：ネットワーク識別子
【図１】
2019536125.tif 000003
【図２】
2019536125.tif 000004
【図３】
2019536125.tif 000005
【図４】
2019536125.tif 000006
【図５】
2019536125.tif 000007
【図６】
2019536125.tif 000008
【図７】
2019536125.tif 000009
【図８】
2019536125.tif 000010
【図９】
2019536125.tif 000011
【図１０】
2019536125.tif 000012
【図１１】
2019536125.tif 000013
【図１２】
2019536125.tif 000014
【図１３】
2019536125.tif 000015
【図１４】
2019536125.tif 000016
【図１５】
2019536125.tif 000017
【図１６】
2019536125.tif 000018
【図１７】
2019536125.tif 000019
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
分散ストレージ・ネットワーク（ＤＳＮ）のコンピューティング・デバイスにより、前記ＤＳＮからのデータにアクセスするために、非標準ＤＳＮデータ・アクセス・プロトコルを使用するか又は標準ＤＳＮデータ・アクセス・プロトコルを使用するかを決定することであって、前記データは１つ又は複数の符号化データ・スライスのセットに分散ストレージ・エラー符号化され、前記１つ又は複数の符号化データ・スライスのセットは前記ＤＳＮのストレージ・ユニットのセット内に格納される、決定することと、
前記コンピューティング・デバイスが、前記非標準ＤＳＮデータ・アクセス・プロトコルを使用すると決定することに応じて、
前記コンピューティング・デバイスにより、前記データに関する非標準ＤＳＮデータ・アクセス要求のセットを生成することであって、前記非標準ＤＳＮデータ・アクセス要求のセットのうちの非標準ＤＳＮデータ・アクセス要求は、前記ストレージ・ユニットのセットのうちのストレージ・ユニットのネットワーク識別子、前記データに対応するデータ識別子、及びデータ・アクセス機能を含む、生成することと、
前記コンピューティング・デバイスにより、前記非標準ＤＳＮデータ・アクセス要求のセットを、前記ストレージ・ユニットを含む前記ストレージ・ユニットのセットのうちの少なくとも幾つかのストレージ・ユニットに送ることと、
前記ストレージ・ユニットにより、前記非標準ＤＳＮデータ・アクセス要求を１つ又は複数のＤＳＮスライス名に変換することと、
前記ストレージ・ユニットにより、前記１つ又は複数のＤＳＮスライス名が、前記ストレージ・ユニットに割り当てられたスライス名範囲内にあることを判断することと、
前記１つ又は複数のＤＳＮスライス名がスライス名範囲内にあることに応じて、前記ストレージ・ユニットにより、前記１つ又は複数のＤＳＮスライス名に対応する１つ又は複数の符号化データ・スライスに関する前記データ・アクセス機能を実行することと、
を含む、方法。
【請求項２】
前記コンピューティング・デバイスが、前記標準ＤＳＮデータ・アクセス・プロトコルを使用すると決定することに応じて、
前記コンピューティング・デバイスにより、前記データに関するデータ・アクセス要求のセットを生成することであって、前記データ・アクセス要求のセットのうちのデータ・アクセス要求は、１つ又は複数のＤＳＮスライス名及び前記データ・アクセス機能を含み、前記１つ又は複数のＤＳＮスライス名は、前記ストレージ・ユニットに対して１つ又は複数のＤＳＮアドレスを提供する、生成することと、
前記コンピューティング・デバイスにより、前記データ・アクセス要求のセットを前記ストレージ・ユニットのセットに送ることと、
前記ストレージ・ユニットのセットのうちの少なくとも幾つかのストレージ・ユニットにより、前記データ・アクセス機能を実行することと、
を含む、請求項１に記載の方法。
【請求項３】
前記非標準ＤＳＮデータ・アクセス・プロトコルを使用するか又は前記標準ＤＳＮデータ・アクセス・プロトコルを使用するかを決定することは、
前記データが複数の関連したデータ・オブジェクトを含むことに応じて、前記非標準ＤＳＮデータ・アクセス・プロトコルを使用すると決定することと、
前記データが異なる改訂レベルのデータ・オブジェクトを含むことに応じて、前記非標準ＤＳＮデータ・アクセス・プロトコルを使用すると決定することと、
前記データが特定の符号化データ・スライスのセットを含むことに応じて、前記標準ＤＳＮデータ・アクセス・プロトコルを使用すると決定することと、
前記データ・アクセス機能に基づいて前記非標準ＤＳＮデータ・アクセス・プロトコル又は前記標準ＤＳＮデータ・アクセス・プロトコルを使用すると決定することと、
のうちの１つ又は複数を含む、請求項１または２に記載の方法。
【請求項４】
前記ネットワーク識別子が、前記ストレージ・ユニットにおいて、ｕｎｉｆｏｒｍ  ｒｅｃｏｒｄ  ｌｏｃａｔｏｒ（ＵＲＬ）、ネットワーク・ポート、ネットワーク・インターフェース、アプリケーション・プログラム・インターフェース（ＡＰＩ）、信頼証明書、認証オーソリティ、及び資格証明のうちの１つ又は複数を含むことと、
前記データ識別子が、ファイル名、前記ＵＲＬに埋め込まれた名称、１つ又は複数のデータ・オブジェクト名、１つ又は複数のデータ・セグメント名、前記データについての名称、前記データの集合についての名称のうちの１つ又は複数を含むことと、
前記データ・アクセス機能が、読み出し要求、書き込み要求、削除要求、及びリスト要求のうちの１つ又は複数を含むことと、
をさらに含む、請求項１乃至３のいずれかに記載の方法。
【請求項５】
前記非標準ＤＳＮデータ・アクセス要求のセットを前記ストレージ・ユニットのセットのうちの少なくとも幾つかのストレージ・ユニットに送ることは、
前記少なくとも幾つかのストレージ・ユニットの各々について、
前記信頼証明書、前記認証オーソリティ、及び前記資格証明のうちの１つ又は複数を検証することと、
前記信頼証明書、前記認証オーソリティ、及び前記資格証明のうちの前記１つ又は複数が検証されたことに応じて、前記ＵＲＬ、前記ネットワーク・ポート、前記ネットワーク・インターフェース、及び前記ＡＰＩの１つを介して、前記ストレージ・ユニットをアドレス指定するように決定し、決定されたアクセス機構を生成することと、
前記決定されたアクセス機構を介して、前記非標準ＤＳＮデータ・アクセス要求のセットを少なくとも幾つかのストレージ・ユニットに送ることと、
を含む、請求項４に記載の方法。
【請求項６】
特定のＤＳＮ機能を最適化するように前記データ識別子を生成することであって、前記特定のＤＳＮ機能は、関連した符号化データ・スライスを特定すること、関連した符号化データ・スライスをリストすること、及び符号化データ・スライスに関する変換された名称のリストすることのうちの１つ又は複数を含む、生成することをさらに含む、請求項１乃至５のいずれかに記載の方法。
【請求項７】
前記非標準ＤＳＮデータ・アクセス要求を１つ又は複数のＤＳＮスライス名に変換することは、
データ・アクセス要求を発行する要求中のデバイスの識別に基づいてボールト識別子を判断することと、
前記ボールト識別子及び前記ネットワーク識別子に基づいてピラー数を判断することと、
前記データ識別子に基づいてセグメント識別子の範囲を判断することと、
前記データ識別子に基づいてオブジェクト識別子を判断することと、
前記ピラー数、前記ボールト識別子、前記セグメント識別子の範囲、及び前記オブジェクト識別子に基づいて、前記１つ又は複数のＤＳＮスライス名を生成することと、
を含む、請求項１乃至６のいずれかに記載の方法。
【請求項８】
分散ストレージ・ネットワーク（ＤＳＮ）のコンピューティング・デバイスにより実行されることに応じて、前記コンピューティング・デバイスに、
前記ＤＳＮからのデータにアクセスするために、非標準ＤＳＮデータ・アクセス・プロトコルを使用するか又は標準ＤＳＮデータ・アクセス・プロトコルを使用するかを決定することであって、前記データは１つ又は複数の符号化データ・スライスのセットに分散ストレージ・エラー符号化され、前記１つ又は複数の符号化データ・スライスのセットは前記ＤＳＮのストレージ・ユニットのセット内に格納される、決定することと、
前記コンピューティング・デバイスが、前記非標準ＤＳＮデータ・アクセス・プロトコルを使用すると決定することに応じて、
前記データに関する非標準ＤＳＮデータ・アクセス要求のセットを生成することであって、前記非標準ＤＳＮデータ・アクセス要求のセットのうちの非標準ＤＳＮデータ・アクセス要求は、前記ストレージ・ユニットのセットのうちのストレージ・ユニットのネットワーク識別子、前記データに対応するデータ識別子、及びデータ・アクセス機能を含む、生成することと、
前記非標準ＤＳＮデータ・アクセス要求のセットを、前記ストレージ・ユニットを含む前記ストレージ・ユニットのセットのうちの少なくとも幾つかのストレージ・ユニットに送ることと、
を行わせる動作命令を格納する第１のメモリ要素と、
前記ストレージ・ユニットのセットのうちの１つのストレージ・ユニットにより実行されることに応じて、前記ストレージ・ユニットに、
前記非標準ＤＳＮデータ・アクセス要求を１つ又は複数のＤＳＮスライス名に変換することと、
前記１つ又は複数のＤＳＮスライス名が、前記ストレージ・ユニットに割り当てられたスライス名範囲内にあることを判断することと、
前記１つ又は複数のＤＳＮスライス名がスライス名範囲内にあることに応じて、前記ストレージ・ユニットにより、前記１つ又は複数のＤＳＮスライス名に対応する１つ又は複数の符号化データ・スライスに関する前記データ・アクセス機能を実行することと、
を行わせる動作命令を格納する第２のメモリ要素と、
を含む、コンピュータ可読メモリ。
【請求項９】
前記コンピューティング・デバイスにより実行されることに応じて、前記コンピューティング・デバイスに、
前記データに関するデータ・アクセス要求のセットを生成することであって、前記データ・アクセス要求のセットのうちのデータ・アクセス要求は、１つ又は複数のＤＳＮスライス名及び前記データ・アクセス機能を含み、前記１つ又は複数のＤＳＮスライス名は、前記ストレージ・ユニットに対して１つ又は複数のＤＳＮアドレスを提供する、生成することと、
前記データ・アクセス要求のセットを前記ストレージ・ユニットのセットに送ることと、
を行わせる動作命令を格納する第３のメモリ要素と、
前記ストレージ・ユニットにより実行されることに応じて、前記ストレージ・ユニットに、
前記データ・アクセス要求のセットの前記１つの前記データ・アクセス機能を実行すること、
を行わせる動作命令を格納する第４のメモリ要素と、
をさらに含む、請求項８に記載のコンピュータ可読メモリ。
【請求項１０】
前記第１のメモリ要素は、
前記コンピューティング・デバイスにより実行されたことに応じて、前記コンピューティング・デバイスに、
前記データが複数の関連したデータ・オブジェクトを含むことに応じて、前記非標準ＤＳＮデータ・アクセス・プロトコルを使用すると決定することと、
前記データが異なる改訂レベルのデータ・オブジェクトを含むことに応じて、前記非標準ＤＳＮデータ・アクセス・プロトコルを使用すると決定することと、
前記データが特定の符号化データ・スライスのセットを含むことに応じて、前記標準ＤＳＮデータ・アクセス・プロトコルを使用すると決定することと、
前記データ・アクセス機能に基づいて前記非標準ＤＳＮデータ・アクセス・プロトコル又は前記標準ＤＳＮデータ・アクセス・プロトコルを使用すると決定することと、
のうちの１つ又は複数により、前記非標準ＤＳＮデータ・アクセス・プロトコルを使用するか又は標準ＤＳＮデータ・アクセス・プロトコルを使用するかを決定させる動作命令をさらに格納する、請求項８または９に記載のコンピュータ可読メモリ。
【請求項１１】
前記ネットワーク識別子が、前記ストレージ・ユニットにおいて、ｕｎｉｆｏｒｍ  ｒｅｃｏｒｄ  ｌｏｃａｔｏｒ（ＵＲＬ）、ネットワーク・ポート、ネットワーク・インターフェース、アプリケーション・プログラム・インターフェース（ＡＰＩ）、信頼証明書、認証オーソリティ、及び資格証明のうちの１つ又は複数を含むことと、
前記データ識別子が、ファイル名、前記ＵＲＬに埋め込まれた名称、１つ又は複数のデータ・オブジェクト名、１つ又は複数のデータ・セグメント名、前記データについての名称、前記データの集合についての名称のうちの１つ又は複数を含むことと、
前記データ・アクセス機能が、読み出し要求、書き込み要求、削除要求、及びリスト要求のうちの１つ又は複数を含むことと、
をさらに含む、請求項８乃至１０のいずれかに記載のコンピュータ可読メモリ。
【請求項１２】
前記第１のメモリ要素は、前記コンピューティング・デバイスにより実行されることに応じて、前記コンピューティング・デバイスに、
前記少なくとも幾つかのストレージ・ユニットの各々について、
前記信頼証明書、前記認証オーソリティ、及び前記資格証明のうちの１つ又は複数を検証することと、
前記信頼証明書、前記認証オーソリティ、及び前記資格証明のうちの前記１つ又は複数が検証されたことに応じて、前記ＵＲＬ、前記ネットワーク・ポート、前記ネットワーク・インターフェース、及び前記ＡＰＩの１つを介して、前記ストレージ・ユニットをアドレス指定するように決定し、決定されたアクセス機構を生成することと、
前記決定されたアクセス機構を介して、前記非標準ＤＳＮデータ・アクセス要求のセットを少なくとも幾つかのストレージ・ユニットに送ることと、
によって、前記非標準ＤＳＮデータ・アクセス要求のセットを前記ストレージ・ユニットのセットのうちの少なくとも幾つかのストレージ・ユニットに送らせる動作命令をさらに格納する、請求項１１に記載のコンピュータ可読メモリ。
【請求項１３】
前記コンピューティング・デバイスにより実行されることに応じて、前記コンピューティング・デバイスに、
特定のＤＳＮ機能を最適化するように前記データ識別子を生成することであって、前記特定のＤＳＮ機能は、関連した符号化データ・スライスを特定すること、関連した符号化データ・スライスをリストすること、及び符号化データ・スライスに関する変換された名称のリストすることのうちの１つ又は複数を含む、生成すること
を行わせる動作命令を格納する第３のメモリ要素をさらに含む、請求項８乃至１２のいずれかに記載のコンピュータ可読メモリ。
【請求項１４】
前記第２のメモリ要素は、前記ストレージ・ユニットにより実行されることに応じて、前記ストレージ・ユニットに、
データ・アクセス要求を発行する要求中のデバイスの識別に基づいてボールト識別子を判断することと、
前記ボールト識別子及び前記ネットワーク識別子に基づいてピラー数を判断することと、
前記データ識別子に基づいてセグメント識別子の範囲を判断することと、
前記データ識別子に基づいてオブジェクト識別子を判断することと、
前記ピラー数、前記ボールト識別子、前記セグメント識別子の範囲、及び前記オブジェクト識別子に基づいて、前記１つ又は複数のＤＳＮスライス名を生成することと、
によって、前記非標準ＤＳＮデータ・アクセス要求を１つ又は複数のＤＳＮスライス名に変換させる動作命令を更に格納する、請求項８乃至１３のいずれかに記載のコンピュータ可読メモリ。
【国際調査報告】
2019536125.tif 000020
2019536125.tif 000021